(57)【要約】【課題】  構造が簡素で、接続相手側との嵌合位置がずれても、接続が可能で、しかも、耐振性が向上するコネクタを提供する。【解決手段】  オス側コネクタのバーコンタクト３は、略長方形の平板状の接触部３ａと、接触部の４隅に形成される保持部３ｂ，３ｃ，３ｄ，３ｅと、接触部の一端側に形成される突出部３ｆと、接触部の他端側に形成される端子部３ｇとから一体に構成される。メス側コネクタのソケットコンタクト１３は、固定部１３ａと、一対の接触部１３ｂと、第１の端子部１３ｃと、第２の端子部１３ｄとから一体に構成される。保持部と突出部が、インシュレータにコネクタの嵌合離脱方向と直交する方向へ、それぞれ圧入、挿入されることにより、バーコンタクトが保持される。コネクタの嵌合離脱方向と直交する方向における平板状の接触部の幅は、一対の接触部の幅よりも広い。コネクタの嵌合に際し、一対の接触部は、平板状の接触部を挟持する。【選択図】  図３
2006172903.tif 000002
【特許請求の範囲】
【請求項１】
一方のコネクタと、前記一方のコネクタと接続する他方のコネクタとから構成されるコネクタにおいて、
前記一方のコネクタは、コンタクトと、前記コンタクトを保持するインシュレータとから構成され、前記コンタクトは、略長方形の平板状の接触部と、前記平板状の接触部の少なくとも一端側に形成されている保持部とを有し、
前記保持部が前記インシュレータに前記コネクタの嵌合離脱方向と直交する方向へ圧入されることにより、前記コンタクトが保持され、
前記他方のコネクタのコンタクトは、前記一方のコネクタの平板状の接触部を挟持する一対の接触部を有し、
前記コネクタの嵌合離脱方向と直交する方向における前記平板状の接触部の幅は、前記一対の接触部の幅よりも広いことを特徴とするコネクタ。
【請求項２】
前記一方のコネクタのコンタクトは、前記平板状の接触部の他端側に形成されている突出部を有し、前記保持部と、前記インシュレータに前記コネクタの嵌合離脱方向と直交する方向へ挿入される前記突出部とにより、前記一方のコネクタのコンタクトが前記コネクタの嵌合離脱方向へ移動することが阻止されることを特徴とする請求項１記載のコネクタ。
【請求項３】
前記他方のコネクタは、前記コンタクトと、当該コンタクトを保持するインシュレータとから構成され、当該コンタクトは、前記一対の接触部と、当該インシュレータに保持される固定部と、端子部とを有し、前記固定部により当該コンタクトが前記コネクタの嵌合離脱方向へ移動することが阻止されることを特徴とする請求項１記載のコネクタ。
【発明の詳細な説明】
【技術分野】
【０００１】
本発明は、コネクタに関し、詳しく述べると、コネクタにおけるフローティング機能による接触構造に関する。
【背景技術】
【０００２】
従来の基板取付型コネクタについて説明する（例えば、特許文献１参照。）。
【０００３】
図８は、基板取付型コネクタ３１の斜視図であり、図９は、同コネクタの平面図であり、図１０は、図９における線Ａ−Ａによる断面図である。ただし、図１０は、接続相手側のタブ端子（雄端子）６１が挿入された状態を示す。
【０００４】
基板取付型コネクタ３１は、１枚の金属板から打抜きと折り曲げによって製作される。金属板は、隣青銅等の弾性を有する材料が好適である。略長方形の嵌合面３２の４隅から対向する二対の脚３４が、嵌合面３２に対して略直角に下方に折り曲げられる。更に、各脚３４の先端部が外向きに直角に折り曲げられ、基板５１への接続部３６が形成される。接触片３８，３８が、嵌合面３２の両側から一対の脚３４の間で、湾曲部３８ａ，３８ａを経て、下方かつ内方に折り曲げられて形成される。
【０００５】
接触片３８，３８の先端部４０，４０は、脚３４，３４と略平行に下方に延びて狭い間隙の対向する接触部４０ａ，４０ａを形成する。この間隙は、タブ端子６１の板厚よりも小さく設定される。嵌合面３２の略中央には、長方形の開口４２が形成される。接触片３８，３８に対応する内縁から舌片即ちガイド部４４，４４が、内方かつ下方に向けて対向して傾斜するように構成される。ガイド部４４，４４の対向する先端４４ａ，４４ａによって形成される間隙は、図９から明らかなように接触部４０ａ，４０ａによって形成される間隙よりも大きく設定される。ガイド部４４，４４の長さ即ち嵌合面３２に沿う寸法は、接触部４０ａ，４０ａよりも長い。
【０００６】
図９には、ガイド部４４，４４と接触部４０ａ，４０ａが示されている。接触片３８と脚３４，３４は、金属板の打抜きの際に形成されたスロット４６によって分離される。
【０００７】
図１０に示されるように、脚３４，３４は、接触部３６，３６で基板５１に半田付けによって表面実装される。
【０００８】
タブ端子６１が基板取付型コネクタ３１の開口４２に挿入されると、タブ端子６１の先端部６１ａは対向する接触部４０ａ，４０ａの間隙を押し広げる。そして、先端部６１ａは接触部４０ａ，４０ａと電気的に接続するが、その際、先端部６１ａと接触部４０ａ，４０ａとの間の位置ずれは、接触片３８，３８の撓みによる吸収即ちフローティング機能により対処される。
【０００９】
【特許文献１】特開平１１−３３９９０６号公報（第２頁第２欄第１７行〜第３頁第３欄第１４行、図１〜３）
【発明の開示】
【発明が解決しようとする課題】
【００１０】
前記従来の基板取付型コネクタ３１は、構造が複雑である。また、基板取付型コネクタ３１に対する接続相手側のタブ端子６１との嵌合位置がずれると、接続が不可能となる。更に、基板取付型コネクタ３１のみが基板５１に固定され、接続相手側は固定されないので、耐振性が低下する。
【００１１】
そこで、本発明は、前記従来の基板取付型コネクタの欠点を改良し、構造が簡素で、接続相手側との嵌合位置がずれても、接続が可能で、しかも、耐振性が向上するコネクタを提供しようとするものである。
【課題を解決するための手段】
【００１２】
本発明は、前記課題を解決するため、次の手段を採用する。
【００１３】
１．一方のコネクタと、前記一方のコネクタと接続する他方のコネクタとから構成されるコネクタにおいて、前記一方のコネクタは、コンタクトと、前記コンタクトを保持するインシュレータとから構成され、前記コンタクトは、略長方形の平板状の接触部と、前記平板状の接触部の少なくとも一端側に形成されている保持部とを有し、前記保持部が前記インシュレータに前記コネクタの嵌合離脱方向と直交する方向へ圧入されることにより、前記コンタクトが保持され、前記他方のコネクタのコンタクトは、前記一方のコネクタの平板状の接触部を挟持する一対の接触部を有し、前記コネクタの嵌合離脱方向と直交する方向における前記平板状の接触部の幅は、前記一対の接触部の幅よりも広いコネクタ。
【００１４】
２．前記一方のコネクタのコンタクトは、前記平板状の接触部の他端側に形成されている突出部を有し、前記保持部と、前記インシュレータに前記コネクタの嵌合離脱方向と直交する方向へ挿入される前記突出部とにより、前記一方のコネクタのコンタクトが前記コネクタの嵌合離脱方向へ移動することが阻止される前記１記載のコネクタ。
【００１５】
３．前記他方のコネクタは、前記コンタクトと、当該コンタクトを保持するインシュレータとから構成され、当該コンタクトは、前記一対の接触部と、当該インシュレータに保持される固定部と、端子部とを有し、前記固定部により当該コンタクトが前記コネクタの嵌合離脱方向へ移動することが阻止される前記１記載のコネクタ。
【発明の効果】
【００１６】
明細書の説明から明らかなように、本発明は、次の効果を奏する。
【００１７】
１．一方のコネクタのコンタクトは、略長方形の平板状の接触部と、保持部と、突出部と、端子部とから構成され、他方のコネクタのコンタクトは、一対の接触部と、固定部と、端子部とから構成されるので、構造が簡素である。
【００１８】
２．一方のコネクタのコンタクトの平板状の接触部と他方のコネクタのコンタクトの一対の接触部とが接触し、コネクタの嵌合離脱方向と直交する方向における平板状の接触部の幅は一対の接触部の幅よりも広いので、両コネクタの嵌合位置がずれても、両コネクタは接続することができる。
【００１９】
３．一方のコネクタのコンタクトは、保持部と突出部とにより、他方のコネクタのコンタクトは、固定部により、それぞれコネクタの嵌合離脱方向へ移動することが阻止されるので、コネクタは堅牢であり、また、耐振性に優る。
【発明を実施するための最良の形態】
【００２０】
本発明の一実施例のコネクタについて説明する。
【実施例１】
【００２１】
本発明の実施例１のフローティング構造を有するコネクタについて図１〜図７を参照して説明する。
【００２２】
図１は、オス側コネクタ１に、フード１６に収納されたメス側コネクタ１１が矢印方向に嵌合する前の状態の斜視図である。
【００２３】
メス側コネクタ１１は、メス側ハウジング１２と、メス側ハウジング１２に保持される６個のソケットコンタクト１３（図３参照）とを有する。６個のソケットコンタクト１３は、一定のピッチで平行にメス側ハウジング１２に配設されている。メス側コネクタ１１は、フード１６に圧入によって固定される。
【００２４】
オス側コネクタ１は、オス側ハウジング２と、オス側ハウジング２に保持される６個のバーコンタクト３（図３参照）とを有する。６個のバーコンタクト３は、一定のピッチで平行にオス側ハウジング２に配設されている。
【００２５】
図２（Ａ）は、オス側コネクタ１の固定構造を示す。オス側コネクタ１は、ねじ４（アースコンタクトを兼ねる。）によって筐体２１（図７参照）に固定される。
【００２６】
図２（Ｂ）は、フード１６の固定構造を示す。フード１６は、一対のねじ１７によって筐体２１に固定される。
【００２７】
図３は、オス側コネクタ１のバーコンタクト３とメス側コネクタ１１のソケットコンタクト１３の斜視図である。
【００２８】
バーコンタクト３は、略長方形の平板状の接触部３ａと、接触部３ａの４隅に形成された保持部３ｂ，３ｃ，３ｄ，３ｅと、接触部３ａの一端側の保持部３ｅ寄りに突出するように形成された突出部３ｆと、接触部３ａの他端側の下部に突出するように形成された端子部３ｇとから一体に構成される。ソケットコンタクト１３が挟み込む接触部３ａの上下両側には、テーパ３ａ１が形成されている。突出部３ｆと端子部３ｇがそれぞれバーコンタクト３の両端側の中央に形成されていない理由は、バーコンタクト３のオス側ハウジング２への誤装着の防止とスペースの節減のためである。詳細は、図５を参照して後述する。
【００２９】
ソケットコンタクト１３は、固定部１３ａと、固定部１３ａに連続するへの字状の一対の接触部１３ｂと、一対の接触部１３ｂに連続する第１の端子部１３ｃ及び第２の端子部１３ｄとから一体に構成される。第１の端子部１３ｃと第２の端子部１３ｄは、ケーブル等を包囲するように保持する。
【００３０】
ソケットコンタクト１３の一対の接触部１３ｂをバーコンタクト３の接触部３ａに対して矢印方向に移動すると、一対の接触部１３ｂはテーパ３ａ１にガイドされて接触部３ａを挟み込んで接触する。
【００３１】
図４は、バーコンタクト３に対するソケットコンタクト１３の接触面関係を示す模式的正面図である。ソケットコンタクト１３が、バーコンタクト３に対して第１の方向（前後方向）にずれても、第２の方向（上下方向）にずれても、広い範囲にわたって安定した接触面が確保される。
【００３２】
図５は、オス側コネクタ１とメス側コネクタ１１とのフローティング構造を示す断面図である。メス側ハウジング１２がオス側ハウジング２に対して上下前後方向にずれても、安定した接触面が確保される。
【００３３】
６個のバーコンタクト３は、１個毎に上下が反転されてオス側ハウジング２に装着される。オス側ハウジング２には、各バーコンタクト３の保持部３ｂ，３ｄが圧入される６個の第１の穴２ａと、突出部３ｆが挿入される６個の第２の穴２ｂが、それぞれ形成されている。このようにバーコンタクト３とオス側ハウジング２が構成されると、バーコンタクト３のオス側ハウジング２への誤装着が防止され、また、オス側コネクタ１がコンパクトに構成される。
【００３４】
なお、バーコンタクト３の保持部３ｂ，３ｃ，３ｄ，３ｅがオス側ハウジング２に圧入されるように、オス側ハウジング２を設計変更することができる。
【００３５】
図６は、オス側コネクタ１とメス側コネクタ１１とがフード１６内で嵌合した状態の断面図である。
【００３６】
フード１６の底部には、外部から水等が浸入することを防止するためにゴム製の防水用ガスケット１８が取り付けられている。また、フード１６の右側には、メス側コネクタ１１に接続されるケーブルが挿入されるゴム製の防水用ブッシング１９がはめ込まれている。更に、フード１６の右側面には、ケーブルを固定するためにグランドナット２０が取り付けられている。オス側ハウジング２は、ねじ４によって筐体２１に固定される。
【００３７】
図７（Ａ）は、コネクタが小型モータ２２の筐体２１にねじ４によって固定された状態の斜視図（ただし、コネクタの要部は断面図。）、図７（Ｂ）は、同状態の全体図を、それぞれ示す。
【図面の簡単な説明】
【００３８】
【図１】本発明の実施例１のコネクタの斜視図であり、オス側コネクタに、フードに収納されたメス側コネクタが矢印方向に嵌合する前の状態を示す。
【図２】（Ａ）は同オス側コネクタの筐体への固定構造の斜視図、（Ｂ）は同フードの同筐体への固定構造の斜視図を、それぞれ示す。
【図３】同オス側コネクタのバーコンタクトと同メス側コネクタのソケットコンタクトの斜視図である。
【図４】同バーコンタクトに対する同ソケットコンタクトの接触面関係を示す模式的正面図である。
【図５】同オス側コネクタと同メス側コネクタとのフローティング構造を示す断面図である。
【図６】同オス側コネクタと同メス側コネクタとが同フード内で嵌合した状態の断面図である。
【図７】同コネクタが小型モータの同筐体に固定された状態の斜視図であり、（Ａ）は要部の断面図、（Ｂ）は全体図を、それぞれ示す。
【図８】従来の基板取付型コネクタの斜視図である。
【図９】同基板取付型コネクタの平面図である。
【図１０】図９における線Ａ−Ａによる断面図である。
【符号の説明】
【００３９】
１  オス側コネクタ
２  オス側ハウジング
２ａ  第１の穴
２ｂ  第２の穴
３  バーコンタクト
３ａ  接触部
３ａ１  テーパ
３ｂ，３ｃ，３ｄ，３ｅ  保持部
３ｆ  突出部
３ｇ  端子部
４  ねじ
１１  メス側コネクタ
１２  メス側ハウジング
１３  ソケットコンタクト
１３ａ  固定部
１３ｂ  接触部
１３ｃ  第１の端子部
１３ｄ  第２の端子部
１６  フード
１７  ねじ
１８  防水用ガスケット
１９  防水用ブッシング
２０  グランドナット
２１  筐体
２２  小型モータ
【図１】
2006172903.tif 000003
【図２】
2006172903.tif 000004
【図３】
2006172903.tif 000005
【図４】
2006172903.tif 000006
【図５】
2006172903.tif 000007
【図６】
2006172903.tif 000008
【図７】
2006172903.tif 000009
【図８】
2006172903.tif 000010
【図９】
2006172903.tif 000011
【図１０】
2006172903.tif 000012